(57)【要約】 【課題】運動量〜サービスポイント交換システムにおいて不正操作を防止でき、適正に運用可能な歩数計を提供する。【解決手段】装着者が歩行した歩数情報を計測する歩数計測手段（１１、１５）と、外部装置と通信するためのインターフェース手段（１６）を有する歩数計と、歩数計からインターフェース手段を介して読み取った歩数データを、所定の商業施設において通用するサービスポイントデータに変換する管理装置と、商業施設内に設置されたチェックポイントを歩数計の装着者が通過したことにより発行されるチェックポイントデータに基づき、管理装置が商業施設内において実際に歩行して得た歩数データに基いて歩数データからサービスポイントデータへの変換を行なうよう制御する制御手段（４１〜４６）を設けた構成を採用する。【選択図】  図５
2010218327.tif 000002
【特許請求の範囲】
【請求項１】
装着者が歩行した歩数情報を計測する歩数計測手段と、外部装置と通信するためのインターフェース手段を有する歩数計と、
前記歩数計から前記インターフェース手段を介して読み取った歩数データを、所定の商業施設において通用するサービスポイントデータに変換する管理装置と、
前記商業施設内に設置されたチェックポイントを前記歩数計の装着者が通過したことにより発行されるチェックポイントデータに基づき、前記管理装置が前記商業施設内において実際に歩行して得た歩数データに基いて前記歩数データから前記サービスポイントデータへの変換を行なうよう制御する制御手段を設けたことを特徴とするサービスポイント交換システム。
【請求項２】
前記制御手段は、前記歩数計ないし前記顧客カードから取得したチェックポイントデータが示す前記歩数計の装着者の移動履歴が示す歩行で費やされる予想歩数を演算し、歩数計から取得した歩数データがこの予想歩数にみあった範囲内にあるかどうかを判定し、該予想歩数にみあった範囲外の歩数データを前記歩数データから前記サービスポイントデータへの変換に作用させないよう排除することによって、前記管理装置が前記商業施設内において実際に歩行して得た歩数データに基いて前記歩数データから前記サービスポイントデータへの変換を行なうよう制御することを特徴とする請求項１に記載のサービスポイント交換システム。
【請求項３】
前記歩数計から前記インターフェース手段を介して読み取った前記歩数データないし前記チェックポイントデータを前記商業施設で通用するＩＣカードとして構成された顧客カードに転送可能であり、前記管理装置が前記顧客カードから前記歩数データないし前記チェックポイントデータを用いて前記歩数データから前記サービスポイントデータへの変換を行なうことを特徴とする請求項１または請求項２に記載のサービスポイント交換システム。
【請求項４】
前記顧客カードが商業施設において通用可能なサービスポイントカードであることを特徴とする請求項３に記載のサービスポイント交換システム。
【請求項５】
前記顧客カードがクレジット決裁機能を有するクレジットカードであることを特徴とする請求項３または請求項４に記載のサービスポイント交換システム。
【請求項６】
前記歩数計と前記顧客カードが一体化されていることを特徴とする請求項３〜請求項５のいずれか１項に記載のサービスポイント交換システム。
【請求項７】
上記歩数計または顧客カードが携帯端末機器として構成されることを特徴とする請求項１〜請求項６のいずれか１項に記載のサービスポイント交換システム。
【発明の詳細な説明】
【技術分野】
【０００１】
本発明はサービスポイント交換システム、特にデパート、ショッピングモールなどの商業施設において好適に使用可能なサービスポイント交換システムに関する。
【背景技術】
【０００２】
装着者の歩行した歩数を計測する歩数計（非特許文献１）は、装着者が歩行する際の振動を錘などの振動や揺動に変換し、機械的なカウンタを歩進させたり、あるいは加速度センサなどを利用してカウントする装置で、古くは歩行した距離などを求めるために考案された、と考えられている。
【０００３】
近年では、歩数計は運動不足解消のための健康増進器具の１つとして広く用いられており、脂肪燃焼表示機能、消費カロリー表示機能、パソコンデータ管理機能、ゲーム機能、データ保持（メモリー）機能、ラジオ機能などを有する歩数計が知られている。
【０００４】
特に、脂肪燃焼表示、消費カロリー表示といった機能は、健康増進器具としての一面を象徴しており、ユーザはこれらの機能を介して自己の運動実施に関する情報を、単に歩数だけではなく他の健康管理に役立つ情報として知ることができる。
【０００５】
また、トレッドミルや、血圧計などを含む幅広い健康管理機器においては、機器が検出した運動実施に関する情報をユーザの運動を動機づけるインセンティブとして利用するアイディアが提案されている。
【０００６】
例えば、この種の健康管理器具においては、使用者の状態に関する情報を検知し、その情報をポイントに変換して格納し、このポイントを商品、サービスの提供その他の使用者の利益に変換（下記の特許文献１）したり、利用者毎の健康や運動実施履歴に応じてユーザに付与する特典を演算するサービス特典演算を設けたもの（下記の特許文献２）が知られている。
【先行技術文献】
【特許文献】
【０００７】
【特許文献１】特開２００３−１４１２６０号
【特許文献２】特開２００３−２４８７２４号
【非特許文献】
【０００８】
【非特許文献１】「歩数計」 http://ja.wikipedia.org/wiki/%E6%AD%A9%E6%95%B0%E8%A8%88
【発明の概要】
【発明が解決しようとする課題】
【０００９】
上記の特許文献１、あるいは特許文献２に記載されるような健康管理機器では、あまり具体的にアプリケーションの形態が記載されていないが、たとえば歩数計の場合には、デパート、ショッピングモールなどの商業施設において、顧客に歩数計を装着させ、顧客が店内を歩いた歩数に応じてその顧客にサービスポイントを付与し、そのポイントをサービスや商品に交換するアプリケーションが考えられる。この場合、当然、歩数の多い（運動実施度合いの高い）顧客ほど大きなポイントを得られるようにする。
【００１０】
このようなアプリケーションでは、商業施設を経営する側から見れば、一般に商業施設内で歩いた歩数、すなわち距離が多い程、顧客の商品を見るチャンスが増え、購買意欲を刺激できると考えられ、一方、顧客の側から見れば、運動不足を解消でき、しかもその運動量をサービスポイントに変換できるので魅力的なサービスである。特に、商品を購入したことによって付与される旧来のサービスポイントに比して、商品購入を必要とせず、来店し、店内を歩くだけでサービスポイントが溜まる、というシステムは顧客にとって魅力的であり、このような運動量〜サービスポイント交換システムは大きな集客力があり、また、顧客の消費行動を刺激できる大きなメリットがある、と考えられる。
【００１１】
上記のような運動を歩数で検出し、サービスポイントと交換するシステムは簡単安価に実施でき、また顧客に貸与（または譲渡）する歩数計も大きなハードウェアコストを必要としない。たとえば、脈拍や血圧を介して顧客の運動量を測定するような機器は比較的正確に顧客の運動状態を取得できるものと考えられるが複雑かつ高価である、という問題がある。
【００１２】
しかしながら、その反面、歩数計の場合は、運動量の検出機構が単純であり、不正な操作を行いやすい、という問題がある。たとえば、ごく単純に歩数のみをカウントするような機構だけでは、顧客が貸与（または譲渡）された歩数計を手で振って歩数カウンタを上げてしまう、あるいは、歩いて欲しい店内ではなく、他の場所を歩いた歩数をカウントされてしまうといった不正操作を防止できない。
【００１３】
本発明の課題は、上記の問題を解決し、不正操作を防止でき、適正に運用可能な歩数計を利用したサービスポイント交換システムを提供することにある。
【課題を解決するための手段】
【００１４】
上記課題を解決するため、本発明においては、装着者が歩行した歩数情報を計測する歩数計測手段と、外部装置と通信するためのインターフェース手段を有する歩数計と、前記歩数計から前記インターフェース手段を介して読み取った歩数データを、所定の商業施設において通用するサービスポイントデータに変換する管理装置と、前記商業施設内に設置されたチェックポイントを前記歩数計の装着者が通過したことにより発行されるチェックポイントデータに基づき、前記管理装置が前記商業施設内において実際に歩行して得た歩数データに基いて前記歩数データから前記サービスポイントデータへの変換を行なうよう制御する制御手段を設けた構成を採用した。
【００１５】
あるいはさらに、前記制御手段は、前記歩数計ないし前記顧客カードから取得したチェックポイントデータが示す前記歩数計の装着者の移動履歴が示す歩行で費やされる予想歩数を演算し、歩数計から取得した歩数データがこの予想歩数にみあった範囲内にあるかどうかを判定し、該予想歩数にみあった範囲外の歩数データを前記歩数データから前記サービスポイントデータへの変換に作用させないよう排除することによって、前記管理装置が前記商業施設内において実際に歩行して得た歩数データに基いて前記歩数データから前記サービスポイントデータへの変換を行なうよう制御する構成を採用した。
【００１６】
あるいはさらに、前記歩数計から前記インターフェース手段を介して読み取った前記歩数データないし前記チェックポイントデータを前記商業施設で通用するＩＣカードとして構成された顧客カードに転送可能であり、前記管理装置が前記顧客カードから前記歩数データないし前記チェックポイントデータを用いて前記歩数データから前記サービスポイントデータへの変換を行なう構成を採用した。
【００１７】
あるいはさらに、前記顧客カードが商業施設において通用可能なサービスポイントカードとして構成することができる。また、前記顧客カードをクレジット決裁機能を有するクレジットカードとして構成することができる。また、前記歩数計と前記顧客カードが一体化された構成とすることができる。
【発明の効果】
【００１８】
上記構成によれば、商業施設内に設置されたチェックポイントを前記歩数計の装着者が通過したことにより発行されるチェックポイントデータに基づき、前記管理装置が前記商業施設内において実際に歩行して得た歩数データに基いて前記歩数データから前記サービスポイントデータへの変換を行なうよう制御することができる。
【００１９】
また、デパート、ショッピングモールなどの商業施設において運用するサービスポイント交換システムにおいて、歩数計から取得したチェックポイントデータが示す移動履歴の歩行で費やされる予想歩数を演算し、歩数計から取得した歩数データがこの予想歩数にみあった範囲内にあるかどうかを判定し、該予想歩数にみあった範囲外の歩数データを前記歩数データから前記サービスポイントデータへの変換に作用させないよう排除する構成を用いることにより、歩数計を手で振って歩数カウントを上げたり、店内と異なる場所で歩数カウントを行なったりする不正操作が行なわれていないかどうかを判定し、歩数計の不正操作が行なわれている場合には歩数計から取得した歩数データをサービスポイントに変換／加算しないよう排除することができる。
【００２０】
また、歩数計の歩数データやチェックポイントデータ、サービスポイントを顧客カードで管理したり、また前記顧客カードをクレジット決裁機能を有するクレジットカードとして構成したり、また、前記歩数計と前記顧客カードが一体化された構成とすることにより、歩数データやサービスポイントの管理を容易に行なうことができるようになり、サービス利用者である顧客の利便性を高めることができる。
【図面の簡単な説明】
【００２１】
【図１】本発明を採用した歩数計の構成を示したブロック図である。
【図２】本発明を採用した歩数計とともに使用可能なＩＣカードの構成を示したブロック図である。
【図３】本発明を採用した歩数計とともに用いられる管理装置の構成を示したブロック図である。
【図４】図３の管理装置の構成を示したブロック図である。
【図５】本発明を採用したサービスポイント交換システムのサービスポイント交換の流れを示したフローチャート図である。
【図６】図１の歩数計の制御プログラムの流れを示したフローチャート図である。
【図７】図３の管理装置の制御プログラムの流れを示したフローチャート図である。
【発明を実施するための形態】
【００２２】
以下、サービスポイント交換システムにおいて使用可能な歩数計、およびその歩数計を用いて構成されたサービスポイント交換システムに関する実施例を示す。
【実施例】
【００２３】
＜歩数計＞
図１は本発明を採用した歩数計の概略構成を示している。図１の歩数計は、デパート、ショッピングモールなどの商業施設において好適なサービスポイント交換システムに使用可能なものである。
【００２４】
図１の歩数計は、いわゆる電子式の構成で、ＣＰＵ１１、ＲＯＭ１２、ＲＡＭ１３、ディスプレイ１４と、この歩数計の装着者の歩行した歩数を検出する歩数検出手段としてたとえば加速度センサ１５を有する。もちろん、歩数検出手段としては、加速度センサ１５のかわりに振動検出用のバラストと組合せたリミットスイッチなどを用いてもよい。
【００２５】
加速度センサ１５の出力に基づきＣＰＵ１１が計測した歩数情報はＲＡＭ１３に保持するとともに、ディスプレイ１４に逐時表示する。加速度センサ１５およびＣＰＵ１１は歩数計の装着者が歩行した歩数情報を計測する歩数計測手段を構成する。歩数情報ないし顧客の識別情報などの関連情報はＲＡＭ１３の所定領域に保持するが、この所定領域の記憶内容はバッテリーなどの電源によりバックアップされる。
【００２６】
図１の歩数計は、顧客（装着者）が装着して、デパート、ショッピングモールなどの商業施設において実施する後述のサービスポイント交換システムで用いる。
【００２７】
さらに、図１の歩数計は後述の顧客カード（ＩＣカード：図２）や、管理機器（図３、図４）などと通信するためのインターフェース１６を有している。
【００２８】
インターフェース１６は、好ましくはたとえば公知のＩＣカードインターフェース、特に非接触の近接無線通信を利用した ISO 14443、ISO 18092（FeliCa：登録商標）、などのいわゆるＩＣカード通信方式に準拠するものとする。図１の歩数計は、上記の各部材を動作させるための不図示のバッテリーなどの電源を有する。なお、図２に示す顧客カードと通信する必要があるシステム構成においては、たとえばインターフェース１６は、非接触近接無線通信のホスト側のインターフェースとして動作できるようにしておく。
【００２９】
なお、この歩数計のインターフェース１６、あるいは後述の管理装置（図３）のインターフェース３６には、ＵＳＢやＩＥＥＥ１３９４、ＳＣＳＩや、ＩＥＥＥ  ８０２．３  ＣＳＭＡ／ＣＤなどの任意の有線インターフェース、あるいは無線ＬＡＮにおいて使用されているような各種の無線インターフェースを用いることもできる。後で触れるように顧客カード（図２）を用いずに歩数計（図１）および管理装置（図３）のみで運用するシステムにおいてはＩＣカードインターフェースを用いずに、これらの有線および無線インターフェースを歩数計および管理装置の間のデータ（後述の歩数データやチェックポイントデータ）転送に用いることができる。
【００３０】
図１の歩数計は、たとえばデパート、ショッピングモールなどの商業施設において実施するサービスポイント交換システムにおいて、顧客に貸与（あるいは有償／無償にて譲渡）され、その顧客が当該商業施設内で装着し、歩行した歩数を検出するために用いられる。
【００３１】
図２は図１の歩数計とともに使用可能な顧客カードの構成を示している。図２の顧客カードは、たとえば上記のサービスポイント交換システムを実施する、少なくともそのデパート、ショッピングモールなどの商業施設において通用可能なサービスポイントカードとして機能する。あるいはさらに図２の顧客カードにはクレジット決裁機能を付与することができ、クレジットカードとしても機能させることができる。
【００３２】
図２の顧客カードはＩＣカード化されており、ＣＰＵ２１、ＲＯＭ２２、ＲＡＭ２３、および上述のＩＣカード通信方式に準拠したインターフェース２６を有する。
【００３３】
図１の歩数計を装着した顧客は、デパート、ショッピングモールなどの商業施設内で装着し、歩行した歩数およびそれに関連する情報は、適当なタイミングでインターフェース１６〜２６の通信を経由して図２の顧客カードに転送することができる。
【００３４】
なお、図１、および図２の構成を比較すると電子回路のハードウェア構成は図１の歩数計と図２の顧客カードは極めて類似しており、図１の歩数計と図２の顧客カードを一体化する、たとえば、サービスポイントカードやクレジットカードのような顧客カードに後述のような歩数計の機能を組み込んだ構成も考えられる。加速度センサ１５にたとえば水銀スイッチなどの流体を利用した小型（薄型）のセンサを用いることにより、カードの厚さなどの寸法を増すことなく歩数計の機能を組み込んだ顧客カードを構成することができる。あるいは、もちろん図１の歩数計と、後述の管理装置のみを用いてサービスポイント交換システムを実施することも考えられる。
【００３５】
このように、歩数計の歩数データ（や後述のチェックポイントデータ）サービスポイントを顧客カードで管理したり、また前記顧客カードをクレジット決裁機能を有するクレジットカードとして構成したり、また、前記歩数計と前記顧客カードが一体化された構成とすることにより、歩数データやサービスポイントの管理を容易に行なうことができるようになり、サービス利用者である顧客の利便性を高めることができる可能性がある。
【００３６】
以下では、図１の歩数計と図２の顧客カードを一体化する構成、あるいは図２の顧客カードを用いない構成などについては必要に応じて説明するが、図１の歩数計と図２の顧客カードが別体である基本構成を中心に説明する。
【００３７】
本発明のサービスポイント交換システムを実施する場合、図１の歩数計（と図２の顧客カード）を保有する顧客がデパート、ショッピングモールなどの商業施設を歩き、その歩数をサービスポイントとして取り扱う。歩数情報やサービスポイントに関する情報を管理するために管理装置が必要であるが、図３はそのような管理装置の一例を示している。
【００３８】
図３に例示する管理装置は、ＰＯＳシステムなどに連動するレジスター３１として構成したものである。レジスター３１は、金銭情報や文字情報の入力のためのキーボードや、代金合計その他の情報を表示するためのディスプレイ３２と、図１の歩数計や図２の顧客カードと通信するためのインターフェース３６を有する。インターフェース３６は、上記の非接触近接無線通信のホスト側のインターフェースとして動作できるものとする。
【００３９】
図３に例示した管理装置はあくまでも一例であり、たとえば、少なくともインターフェース３６やディスプレイ３２に同等の通信および表示機能を含むＰＣ（パーソナルコンピュータ）などから構成することもできる。
【００４０】
また、図３に例示した管理装置は、以下では後述する店内のチェックポイントに設置することができ、その場合、図３に例示した管理装置のようにレジスター３１として構成されていてもよいが、チェックポイントデータのみを発行するインターフェース３６やディスプレイ３２に同等の通信および表示機能を有する装置として設置してもよい。
【００４１】
なお、図３に示した管理装置を複数、本サービスポイント交換システムを実施する商業施設内に分散配置する場合、それらをネットワークを介して接続し、レジスター３１の決裁、集計などの機能をＰＯＳシステムに統合することが可能である。また、該ネットワークには本サービスポイント交換システムを統合管理するサーバを置くことができ、後述の各制御はこのサーバによって実施することができる。その場合、後述の各制御の任意の部分は図３の管理装置と、サーバの通信を介してそれぞれによって分散処理によって実行することができるが、以下では、説明を容易にするため、図３の管理装置によって歩数〜サービスポイント交換に関する処理が実行されるものとして説明する。
【００４２】
図４は図３に例示した管理装置の基本構成を示している。図４の管理装置は、ＣＰＵ４１、ＲＯＭ４２、ＲＡＭ４３、およびインターフェース４６から構成されている。このうちインターフェース４６は上述のＩＣカード通信方式に準拠したカードインターフェースのほか、店内のＰＯＳシステムなどと通信するためのネットワークインターフェースなどから構成される。
【００４３】
図４の管理装置には、ディスプレイ４４、およびプリンタ４７のような入出力装置が接続されており、このような入出力装置を用いてたとえば図３のようなレジスター３１の機能を実現することができる。
【００４４】
次に以上のようなハードウェア構成を用いて実施可能なサービスポイント交換システム、および当該システムにおける制御につき説明する。
【００４５】
図１の歩数計および図２の顧客カードは、顧客に貸与（あるいは有償／無償にて譲渡）される際、所定の登録手続などを経て、デパート、ショッピングモールなどの商業施設のサービスポイント交換システムに登録される。図１の歩数計の識別情報（ユーザ番号など）は、顧客カードの顧客番号、クレジットカードなどの識別情報と関連づけられ、本サービスポイント交換システムのデータベース（不図示）に予め登録される。この登録処理に必要な文字情報や数値情報の入出力には、例えば図３および図４に示した管理装置を利用することができる。
【００４６】
図５は、本実施例のサービスポイント交換システムにおいて貸与（あるいは有償／無償にて譲渡）を受けた歩数計（図１）を装着した顧客が店内を歩き、計測した歩数（運動量）情報をサービスポイントに変換する際の流れをおおまかに示している。
【００４７】
図５のステップＳ１およびステップＳ２は、図１の歩数計から、図２の顧客カードへの歩数情報（あるいはさらに後述のチェックポイントデータ）の転送を示している。この歩数情報の転送には、歩数計のインターフェース１６と顧客カードのインターフェース２６を用いる。
【００４８】
図１の歩数計では、加速度センサ１５などにより計測した歩数情報がＲＡＭ１３などに累積される。当然ながら、既にサービスポイントに変換した歩数情報と、これからサービスポイントに変換すべき歩数情報とは区別できなければならない。このためには、日時情報とともに歩数情報をＲＡＭ１３などに累積し、そのうちどれだけの歩数がサービスポイントに変換済みであるかの情報をＲＡＭ１３に記憶すればよい。ただし、通常、歩数計では、使用開始時に歩数カウントを０にリセットするのがユーザにとっても自然であるから、毎回、歩数計に累積された歩数情報のみをサービスポイントに変換するようにしてもよい。
【００４９】
ステップＳ３では、管理装置（図３）のインターフェース３６に対して顧客カード（図２）を提示して、顧客カードに転送された歩数情報をサービスポイントに変換する。なお、顧客カード（図２）を用いないシステム、あるいは顧客カードと歩数計が一体化しているシステムにおいては、直接、顧客カードないし歩数計を管理装置（図３）のインターフェース３６に対して提示する。
【００５０】
この際、管理装置（図３）は顧客カード（歩数計）の識別情報を読み取り、システムのデータベース中で顧客カードに対応する顧客を特定する。また、管理装置（図３）は顧客カード（歩数計）から、顧客カード（歩数計）の歩数情報（あるいはさらに後述のチェックポイントデータ）を読み取る。顧客カード（歩数計）から読み取った歩数データは所定の換算率でサービスポイントに変換する。
【００５１】
このようにして変換したサービスポイントは、ステップＳ４において、たとえば顧客が商品を購入する際に適用する割引きの金額などの値に換算して用いることができる。
【００５２】
歩数データから変換した（当日の）サービスポイントは、システムのデータベース中の当該顧客の現在のサービスポイントの値に累積する。また、管理装置（図３）がレジスターなどとして構成されている場合には、同時に商品購入の決裁を行ない、当日のサービスポイント、または当該顧客の累積されたサービスポイント（の全てあるいは一部）を決裁の際の割引きに作用させるよう用いてもよい。
【００５３】
以上に示した構成では、発明が解決しようとする課題の欄で述べたように顧客が貸与（または譲渡）された歩数計を手で振って歩数カウンタを上げてしまう、あるいは、歩いて欲しい店内ではなく、他の場所を歩いた歩数をカウントされてしまうといった不正操作を防止できない、という問題が生じる。
【００５４】
そこで、このような不正操作を防止するために、管理装置（図３）で図６および図７に示すような制御を行なうことが考えられる。
【００５５】
図６および図７に示す制御を行なうためには、本実施例のサービスポイント交換システムを実施するデパート、ショッピングモールなどの商業施設中の適当な場所にチェックポイント装置を複数設置する。たとえば、売場内の各フロアーに設けた案内カウンタやサービスカウンタにチェックポイント装置を設ける。
【００５６】
チェックポイント装置は、図３に関して説明したように、管理装置のうちインターフェース３６やディスプレイ３２に同等の通信および表示機能を有する装置として設置することができ、また、レジスターなどとして構成された管理装置（図３）を各売場に配置してこれをチェックポイント装置として機能させてもよい。
【００５７】
この場合、歩数計（図１）のＣＰＵ１１では、図６に示すような処理を行なう。この処理は上述の歩数カウントと並行して実行する。
【００５８】
図６のステップＳ１１では、たとえばチェックポイント装置のインターフェースに歩数計（図１）のインターフェース１６を提示するチェックポイント通過操作が行なわれたか否かを判定する。
【００５９】
このチェックポイント通過操作が行なわれると、チェックポイント装置では、そのチェックポイント装置が設置されたチェックポイントを識別できるチェックポイントデータ（たとえば売場番号や、チェックポイント装置の識別番号）を発行する。また、チェックポイントデータには、少なくとも顧客が当該チェックポイントを通過した日時（時刻）情報を含めるものとする。
【００６０】
チェックポイント通過操作が行なわれると、ステップＳ１２において、ＣＰＵ１１がチェックポイント装置から取得したチェックポイントデータをＲＡＭ１３に記録する。
【００６１】
ステップＳ１３では、チェックポイントデータを取得した時点における歩数データをチェックポイントデータと関連づけてＲＡＭ１３に記録する。
【００６２】
歩数計で上記のような処理を行なっている場合、管理装置（図３）はサービスポイントへの変換（図５のステップＳ３）において、図７のような処理を行なう。なお、ここでは、説明を簡単にするために、サービスポイント変換を歩数計と管理装置の間で直接行なう場合の処理を示す。歩数データの受け渡しは顧客カードを介して行なう場合でも以下の処理と同等の処理を行なうことができ、その場合、以下に「歩数計」とある部材を歩数データ（およびサービスポイントデータ）を転送済みの「顧客カード」に読み換えれば、以下の記述はそのまま通用する。
【００６３】
図７のステップＳ２２では、歩数計に記録されている歩数データを取得し、続いてステップＳ２３では歩数計に記録されているチェックポイントデータを取得する。
【００６４】
そして、ステップＳ２４では、ステップＳ２２、Ｓ２３で取得した歩数データおよびチェックポイントデータを解析し、不正操作が行なわれていないかどうかを判定する。
【００６５】
ここで不正操作、とは、上述の歩数計を手で振って歩数カウントを上げたり、店内と異なる場所で歩数カウントを行なったりすることを指す。このような不正操作を排除するために、ステップＳ２４では、顧客が実際にチェックポイントを通過し、また、チェックポイント間の移動履歴にみあうような範囲の歩数データが累積されているかを判断する。
【００６６】
このために、たとえば、各チェックポイント間の距離（たとえば、適当な平均歩幅データなどを用いて歩数換算した値を用いることができる）をあらかじめデータベース化しておき、ステップＳ２４では歩数計から取得したチェックポイントデータが示す移動履歴の歩行で費やされる予想歩数を演算し、歩数計から取得した歩数データがこの予想歩数にみあった範囲内にあるかどうかを判定する。
【００６７】
あるいは、さらに、チェックポイントデータにチェックポイント通過の時刻情報を含めるものとすれば、チェックポイント〜チェックポイントの移動履歴における経過時間を求めることも容易であるから、そのチェックポイント〜チェックポイントの区間における歩数カウントが過大ではないかどうかをチェックすることにより、不正操作を検出することもできる。この歩数カウントが過大ではないかどうかの判定は、たとえば、平均的な歩幅とカウントされている歩数、経過時間から当該区間における平均速度を求め、その速度が一般的な２〜５Ｋｍ／ｈ程度の歩行速度の範囲内にあるかどうかをチェックすることにより行なうことができる。
【００６８】
ステップＳ２４で上記の判定を行なった結果、不正操作が行なわれた、と判断した場合にはステップＳ２６でエラー処理を行なう。このエラー処理では、不正操作の可能性を（たとえば店員のみに判るように）警告し、たとえば読み取った歩数データを無効とする処理を行なう。
【００６９】
あるいは、ステップＳ２６のエラー処理では、ステップＳ２４で算出した移動履歴にみあうような予想歩数を有効歩数として用いるようサービスポイントに変換する歩数データを書き換える処理を行なってもよい。
【００７０】
ステップＳ２４で不正操作が検出されなかった場合には、ステップＳ２５において歩数計から取得した歩数データをサービスポイントに変換する処理（図５のステップＳ４）を行なう。
【００７１】
以上のようにして、歩数計から取得したチェックポイントデータが示す移動履歴の歩行で費やされる予想歩数を演算し、歩数計から取得した歩数データがこの予想歩数にみあった範囲内にあるかどうかを判定し、該予想歩数にみあった範囲外の歩数データを前記歩数データから前記サービスポイントデータへの変換に作用させないよう排除することによって、歩数計を手で振って歩数カウントを上げたり、店内と異なる場所で歩数カウントを行なったりする不正操作が行なわれていないかどうかを判定し、歩数計の不正操作が行なわれている場合には歩数計から取得した歩数データをサービスポイントに変換／加算しないよう排除することができる。
【００７２】
以上では、商業施設中の店内に設けたチェックポイント装置に顧客が歩数計（あるいは顧客カードでも可能）を提示することにより、チェックポイント装置からチェックポイントデータを発行するようにしているが、顧客の歩数計（あるいは顧客カード）の提示操作を行なわなくてよければ顧客の負担が減り、またチェックポイント装置にチェックポイントデータを発行させるのを忘れてしまうことでカウントした歩数データをサービスポイントに変換できなくなるような問題を未然に回避できる。
【００７３】
このためには、たとえば歩数計（あるいは顧客カード）、およびチェックポイント装置に無線ＬＡＮインターフェースのような無線通信手段を設け、歩数計（あるいは顧客カード）が店内の各チェックポイント装置の無線通信エリアに入るごとに自動的にチェックポイント装置から上記のチェックポイントデータを発行するようにする。
【００７４】
あるいは、各チェックポイント装置が自己の無線通信エリアに入ってきた、あるいはそこから出ていった歩数計（あるいは顧客カード）の現在の歩数データおよび識別情報（顧客番号や歩数計ナンバー）を上述のチェックポイントデータ、および時刻情報などとともにシステムのサーバ（不図示）に送信し、サーバではこの情報を当該顧客の移動履歴データとして記録してもよい。各チェックポイント装置からシステムのサーバへの移動履歴データ送信タイミングは、たとえば各チェックポイント装置の無線通信エリアに入ってきた歩数計（あるいは顧客カード）があるいはそこから出ていったタイミングとする。
【００７５】
このように、少なくとも歩数計（あるいは顧客カード）の現在の歩数データおよび識別情報（顧客番号や歩数計ナンバー）、上述のチェックポイントデータ、および時刻情報を移動履歴データとして記録することにより、図３の管理装置でサービスポイントへの交換を行なう場合に、管理装置が当該顧客の移動履歴データをシステムのサーバから取得して上記のチェック処理（図７のステップＳ２４、Ｓ２６）に用いることができる。また、サーバでは逐次届く移動履歴データを解析して、歩数計に不正な歩数データが蓄積されていないかどうかを判定することができるから、サーバでは不正な歩数データを排除して（あるいは上述の予想歩数にみあった歩数データに自動変換して）サービスポイント変換に用いる歩数データをサービスポイント変換に先立って求めておくこともできる。
【００７６】
なお、以上では、歩数計と、顧客カードを例示したが、これらの機器の具体的な形状については任意であり、他の名称の機器として構成することも可能である。
【００７７】
特に、歩数計と、顧客カードのインターフェース手段（１６、２６）としては（近距離）無線インターフェースとして著名なＩＣカードインターフェースを例示したが、このような無線インターフェースから当業者が容易に類推可能なことは、以上の歩数計と、顧客カードとして例示した機器、あるいはこれら歩数計と顧客カードを一体化した機器を携帯電話機や、ＰＤＡ（携帯情報端末）などの無線インターフェースと、ＣＰＵなどのプログラム可能な制御手段を有する機器として容易に実装することができる点である。いいかえれば、携帯電話機や、ＰＤＡ（携帯情報端末）などの携帯端末機器に上記の歩数計または顧客カード、あるいはそれらを一体化した機器の機能を実装することが可能であり、その場合、上記歩数計または顧客カードは携帯電話機や、ＰＤＡ（携帯情報端末）などの携帯端末機器として構成される点に特徴がある。その場合、携帯電話機や、ＰＤＡ（携帯情報端末）などの本来の携帯端末機器の機能に加え、上述の歩数計測を行なえるとともに、上述のサービスポイント交換システムにおける歩数計、ないし顧客カードと全く同じ機能を組み込むことができ、携帯端末機器ユーザの利便性を大いに高めることができる。
【産業上の利用可能性】
【００７８】
本発明の歩数計、および該歩数計を用いたサービスポイント交換システムはデパート、ショッピングモールなどの商業施設において好適に実施することができる。
【符号の説明】
【００７９】
１１  ＣＰＵ
１２  ＲＯＭ
１３  ＲＡＭ
１４  ディスプレイ
１５  加速度センサ
１６  インターフェース
２１  ＣＰＵ
２２  ＲＯＭ
２３  ＲＡＭ
２６  インターフェース
３１  レジスター
３２  ディスプレイ
４１  ＣＰＵ
４２  ＲＯＭ
４３  ＲＡＭ
４４  ディスプレイ
４６  インターフェース
４７  プリンタ
【図１】
2010218327.tif 000003
【図２】
2010218327.tif 000004
【図３】
2010218327.tif 000005
【図４】
2010218327.tif 000006
【図５】
2010218327.tif 000007
【図６】
2010218327.tif 000008
【図７】
2010218327.tif 000009